(57)【要約】【課題】所謂チェンジャー機能を有する記録再生装置に複数格納される記録媒体の区別を容易にする。【解決手段】記録再生装置に格納される記憶媒体に対応づけるべき情報として、リモートコントローラ側で画像データを生成し、この画像データを識別するための画像識別情報を記録再生装置側に送信する。記録再生装置側においては、記録媒体が格納された格納位置を示す位置識別情報と上記画像識別情報を対応づけて記憶し、上記のようにして生成された画像データと、格納された記録媒体との対応を取る。その上で、上記リモートコントローラ側に表示手段を設け、上記画像データを記録媒体を選択するためのアイコンとしてユーザーに提示し、これらのうち選択された画像データに対応する画像識別情報を記録再生装置側に送信する。これにより、該記録再生装置においてはこの画像識別情報から格納位置を認識でき、対応する記録媒体を記録再生可能位置に対して搬送することができる。【選択図】　　　　図６
2004079110.tif 000002
【特許請求の範囲】
【請求項１】
記録媒体についての記録又は再生を行うことのできる記録再生装置と、この記録再生装置に対する遠隔操作を行うことのできるリモートコントローラとから成り、
上記リモートコントローラは、
画像生成のための操作に応じて画像データを生成する画像生成手段と、
上記画像生成手段により生成された画像データが記録される画像データ用記憶手段と、
上記記憶手段に画像データを記憶する際における所要のタイミングで以て、この記憶された画像データに対応付けた画像識別情報を上記記録再生装置に対して送信する第１の送信手段と、
上記記憶手段に記憶された上記画像データを表示することのできる表示手段と、
選択操作に応じ、上記表示手段により表示された画像データのうちから画像データを選択する選択手段と、
上記選択手段により選択された画像データに対応付けられた画像識別情報を、上記記録再生装置に対して送信することのできる第２の送信手段とを備え、
上記記録再生装置は、
複数の格納位置のそれぞれに記録媒体を格納することのできる格納手段と、
上記格納手段に格納された記録媒体のうちから選択した記録媒体を記録再生可能位置に装填することのできる装填手段と、
上記第１の送信手段によって送信された画像識別情報の受信時に対応して上記記録媒体が格納された上記格納位置を示す格納位置情報と、この受信した画像識別情報とを対応付けた管理情報を生成する管理情報生成手段と、
上記管理情報が記憶される管理情報用記憶手段と、
上記管理情報用記憶手段に記憶された管理情報から、上記第２の送信手段により送信された画像識別情報が対応付けられた格納位置情報を認識し、この認識した格納位置情報が示す格納位置に格納された記録媒体が、上記装填手段により選択されるように制御する制御手段と、
を備えることを特徴とするリモートコントロールシステム。
【請求項２】
画像生成のための操作に応じて画像データを生成する画像生成手段と、
上記画像生成手段により生成された画像データが記録される画像データ用記憶手段と、
上記記憶手段に画像データを記憶する際における所要のタイミングで以て、この記憶された画像データに対応付けた画像識別情報を、リモートコントロール対象の記録再生装置に対して送信する第１の送信手段と、
上記記憶手段に記憶された上記画像データを表示することのできる表示手段と、
選択操作に応じ、上記表示手段により表示された画像データのうちから画像データを選択する選択手段と、
複数の格納位置に格納された記録媒体を選択して記録再生可能位置に装填するようにされた上記再生装置に対して、上記選択手段により選択された画像データに対応付けられた画像識別情報を、上記記録再生可能位置に装填すべき記録媒体を選択指定する指定情報として、上記記録再生装置に対して送信することのできる第２の送信手段と、
を備えることを特徴とするリモートコントローラ。
【請求項３】
上記画像生成手段は、
ユーザー操作に応じて、当該画像生成手段が有するとされる撮像手段により撮像された画像を、画像データとして生成するように構成される、
ことを特徴とする請求項２に記載のリモートコントローラ。
【請求項４】
上記画像生成手段は、
ユーザー操作により選択入力された絵柄及び／又は文字の情報に基づいて画像データを生成する、
ことを特徴とする請求項２に記載のリモートコントローラ。
【請求項５】
上記画像識別情報は、
上記画像データ用記憶手段上で上記画像データが記憶されているアドレスに基づいたものであることを特徴とする請求項２に記載のリモートコントローラ。
【請求項６】
複数の格納位置のそれぞれに記録媒体を格納することのできる格納手段と、
上記格納手段に格納された記録媒体のうちから選択した記録媒体を記録再生可能位置に装填することのできる装填手段と、
上記記録再生可能位置に装填された記録媒体について記録又は再生を行うことができる記録再生手段と、
上記記録媒体が上記格納位置に格納されたときに対応して、リモートコントローラから送信された画像識別情報と、この記録媒体が格納された上記格納位置を示す格納位置情報とを対応付けた管理情報を生成する管理情報生成手段と、
上記管理情報が記憶される管理情報用記憶手段と、
上記管理情報用記憶手段に記憶された管理情報から、上記記録再生可能位置に装填すべき記録媒体を選択指定する指定情報としてリモートコントローラから送信された画像識別情報と対応付けられた格納位置情報を認識し、この認識した格納位置情報が示す格納位置に格納された記録媒体が、上記装填手段により選択されるように制御する制御手段と、
を備えることを特徴とする再生装置。
【請求項７】
上記管理情報生成手段は、
上記リモートコントローラから送信される画像識別情報として、該リモートコントローラが備える画像データ用記憶手段上のアドレスに基づいた情報を、上記格納位置情報と対応付けることにより上記管理情報を生成する、
ことを特徴とする請求項６に記載の記録再生装置。
【発明の詳細な説明】
【０００１】
【発明の属する技術分野】
本発明は、記録媒体についての記録又は再生を行うことのできる記録再生装置と、この記録再生装置に対する遠隔操作を行うことのできるリモートコントローラとから成るリモートコントロールシステム、及び上記リモートコントローラ、上記記録再生装置に関するものである。
【０００２】
【従来の技術】
例えば、ディスク記録媒体についてのデータ再生を行うディスク再生装置においては、従来より、内部に複数の格納棚を備えて、ここに格納された複数枚のディスクのうちから所要のディスクを選択して再生することのできる所謂チェンジャー機能を備えるものが一般的に普及している。
【０００３】
このようなチェンジャー機能を有するディスク再生装置において、ユーザーは、上記のように複数格納されたディスクから所望のディスクを選択して再生するために、それぞれの格納棚に格納されたディスクの別を認識しておく必要がある。
このために、従来においては、例えば上記ディスク再生装置に対して新たにディスクを格納しようとするときに、このディスクに対応づけるべき名称情報をユーザーに入力させるようにしていた。
そして、このようにして入力した名称情報と、上記ディスクが格納された格納棚の棚番号とを装置側で対応づけることにより、ユーザーに再生すべきディスクを選択させる際に、この名称情報を元にした選択を行わせることが可能となる。
【０００４】
【発明が解決しようとする課題】
ここで、上記のようにして名称情報の入力を行おうとする際の操作入力形態としては、装置側に備えられる操作キーを介した入力や、付属のリモートコントローラを介した入力を行うことが一般的となっている。
しかしながら、これらの操作キーとしては、一般的に各種動作を指示するための操作キーやテンキー等の限られた操作キーのみしか配されていない場合が殆どであり、これらの操作キーを介しての文字入力を強いることは、ユーザーにとって大きな負担となる。
【０００５】
また、上記説明によれば、再生装置側に格納されるそれぞれのディスクに対して名称情報を対応づけようとするためには、ディスクを格納しようとする度に文字入力操作を行わなければならないこととなる。
このため、例えばリモートコントローラ側に文字入力を行うに充分な操作キーが設けられている場合であっても、ユーザーは上記のような文字入力の負担から解放される訳ではない。
【０００６】
また、上記のようにしてユーザーにより入力された名称情報を元にしてディスクを選択しようとする際、ユーザーは付属のリモートコントローラを介した選択操作を行うことができるようにされる。
しかしながら、この場合の選択操作は、本体側に備えられるディスプレイ上の表示を確認しながらの作業となるため、このようなリモートコントローラを介した選択操作は、本来の遠隔操作機能が充分に発揮されない結果となる。
【０００７】
【課題を解決するための手段】
このため、本発明では以上のような問題点に鑑み、記録媒体についての記録又は再生を行うことのできる記録再生装置と、この記録再生装置に対する遠隔操作を行うことのできるリモートコントローラとから成るリモートコントロールシステムとして以下のように構成することとした。
すなわち、先ず、上記リモートコントローラとして、
画像生成のための操作に応じて画像データを生成する画像生成手段と、上記画像生成手段により生成された画像データが記録される画像データ用記憶手段と、上記記憶手段に画像データを記憶する際における所要のタイミングで以て、この記憶された画像データに対応付けた画像識別情報を上記記録再生装置に対して送信する第１の送信手段と、上記記憶手段に記憶された上記画像データを表示することのできる表示手段と、選択操作に応じ、上記表示手段により表示された画像データのうちから画像データを選択する選択手段と、上記選択手段により選択された画像データに対応付けられた画像識別情報を、上記記録再生装置に対して送信することのできる第２の送信手段とを備えるようにする。
そして、上記記録再生装置として、
複数の格納位置のそれぞれに記録媒体を格納することのできる格納手段と、上記格納手段に格納された記録媒体のうちから選択した記録媒体を記録再生可能位置に装填することのできる装填手段と、上記第１の送信手段によって送信された画像識別情報の受信時に対応して上記記録媒体が格納された上記格納位置を示す格納位置情報と、この受信した画像識別情報とを対応付けた管理情報を生成する管理情報生成手段と、上記管理情報が記憶される管理情報用記憶手段と、上記管理情報用記憶手段に記憶された管理情報から、上記第２の送信手段により送信された画像識別情報が対応付けられた格納位置情報を認識し、この認識した格納位置情報が示す格納位置に格納された記録媒体が、上記装填手段により選択されるように制御する制御手段とを備えるようにした。
【０００８】
また、本発明では、リモートコントローラとして以下のように構成することとした。
すなわち、画像生成のための操作に応じて画像データを生成する画像生成手段と、上記画像生成手段により生成された画像データが記録される画像データ用記憶手段と、上記記憶手段に画像データを記憶する際における所要のタイミングで以て、この記憶された画像データに対応付けた画像識別情報を、リモートコントロール対象の記録再生装置に対して送信する第１の送信手段と、上記記憶手段に記憶された上記画像データを表示することのできる表示手段と、選択操作に応じ、上記表示手段により表示された画像データのうちから画像データを選択する選択手段と、複数の格納位置に格納された記録媒体を選択して記録再生可能位置に装填するようにされた上記再生装置に対して、上記選択手段により選択された画像データに対応付けられた画像識別情報を、上記記録再生可能位置に装填すべき記録媒体を選択指定する指定情報として、上記記録再生装置に対して送信することのできる第２の送信手段とを備えるようにした。
【０００９】
さらに、本発明では、記録媒体についての記録又は再生を行うことのできる記録再生装置として以下のように構成することとした。
すなわち、複数の格納位置のそれぞれに記録媒体を格納することのできる格納手段と、上記格納手段に格納された記録媒体のうちから選択した記録媒体を記録再生可能位置に装填することのできる装填手段と、上記記録再生可能位置に装填された記録媒体について記録又は再生を行うことができる記録再生手段と、上記記録媒体が上記格納位置に格納されたときに対応して、リモートコントローラから送信された画像識別情報と、この記録媒体が格納された上記格納位置を示す格納位置情報とを対応付けた管理情報を生成する管理情報生成手段と、上記管理情報が記憶される管理情報用記憶手段と、上記管理情報用記憶手段に記憶された管理情報から、上記記録再生可能位置に装填すべき記録媒体を選択指定する指定情報としてリモートコントローラから送信された画像識別情報と対応付けられた格納位置情報を認識し、この認識した格納位置情報が示す格納位置に格納された記録媒体が、上記装填手段により選択されるように制御する制御手段とを備えるようにした。
【００１０】
上記本発明によれば、上記リモートコントローラ側においては、画像生成のための操作に応じて、上記記録再生装置に格納される記憶媒体に対応づけるべき情報としての画像データが生成される。
そして、上記記録再生装置側においては、リモートコントローラ側で生成された上記画像データに対応する画像識別情報が受信されることで、この画像識別情報と、格納位置に対して格納された記録媒体の格納位置情報とが対応づけられて記憶される。
これにより、記録再生装置側では、上記のようにして生成された画像データと、格納された記録媒体との対応を取るための管理情報が生成されるようになる。
【００１１】
また、上記リモートコントローラには表示手段が設けられ、上記のようにして生成された画像データは、格納されたディスクを選択するためのアイコンとしてこの表示手段を介しユーザーに提示される。そして、このように表示された画像データのうち、ユーザーにより選択された画像データに対応する画像識別情報を上記記録再生装置に送信するようにされる。
これにより、上記記録再生装置においては、この画像識別情報を元に上記管理情報を参照することで、記録／再生すべき記録媒体が格納されている格納位置が認識されるようになり、この結果、該記録再生装置においては、ユーザーにより選択された画像データに基づいて記録／再生すべき記録媒体を記録再生可能位置に対して搬送することができる。
【００１２】
【発明の実施の形態】
以下、本発明における実施の形態としてのリモートコントロールシステムについて説明する。なお、説明は以下の順序に従って行うものとする。
１．リモートコントロールシステムの概要
２．リモートコントローラの構成例
３．記録再生装置の構成例
４．インデックス画像登録及び再生ディスク選択操作手順
５．インデックス画像の登録処理
６．再生ディスク選択処理
【００１３】
１．リモートコントロールシステムの概要
図１に本実施の形態としてのリモートコントロールシステムの概要を示す。
図示するように、本実施の形態のリモートコントロールシステムは、ＣＤ（Ｃｏｍｐａｃｔ　Ｄｉｓｋ）プレイヤ１０と、筐体表面に複数の操作子が配されて上記ＣＤプレイヤに対して各種動作を指示することのできるリモートコントローラ１により構成される。
【００１４】
本実施の形態の場合、上記ＣＤプレイヤ１０は所謂チェンジャー機能付きのＣＤプレイヤとされ、筐体内部に複数の格納棚を有し、複数枚のディスクを格納可能に構成されると共に、ここに格納された複数枚のディスクのうちから選択されたディスクを再生するようにされる。
また、本実施の形態の場合、上記リモートコントローラ１は、図示するように表示手段としてのディスプレイ部５が備えられ、画像表示を行うことが可能とされる。さらに、この場合、リモートコントローラ１には、後述するようにしてカメラ機能が備えられ、外部画像に基づいた撮像画像を上記ディスプレイ部５上に表示したり、この撮像画像を静止画データとして取り込むことが可能とされている。
【００１５】
２．リモートコントローラの構成例
図２に本実施の形態のリモートコントローラ１内部の要部の構成例を示したブロック図を示す。
この図２において、本実施の形態のリモートコントローラ１には、図示するようにカメラブロック２、マイコン（マイクロコンピュータ）３、ＮＶ−ＲＡＭ４、ディスプレイ部５、操作入力部６、リモコン発光部７が構成されている。
【００１６】
先ず、図示するカメラブロック２は、上記図１で説明したカメラ機能を実現するための部位であり、少なくともカメラレンズ、ＣＣＤ（Ｃｈａｒｇｅ　Ｃｏｕｐｌｅｄ　Ｄｅｖｉｃｅ）、撮像信号処理回路を備えて構成される。
このカメラブロック２は、カメラレンズを介しＣＣＤにおいて受光された光を、上記撮像信号処理回路において画像信号データに変換し、これをマイコン３に対して供給する。
そして、マイコン３は、このようにカメラブロック２により得られた画像データを撮像画像としてディスプレイ部５上に表示させることができる。
【００１７】
ＮＶ−ＲＡＭ４は、不揮発性メモリとされ、このＮＶ−ＲＡＭ４にはマイコン３が各種制御を行うために必要な情報が格納される。
本実施の形態の場合、このＮＶーＲＡＭ４には、後述するようにして、上記カメラブロック２を介して得られる撮像画像に基づいて生成されるインデックス画像も記録されることになる。
【００１８】
ディスプレイ部５は、例えばＬＣＤ（Ｌｉｑｕｉｄ　Ｃｒｙｓｔａｌ　Ｄｉｓｐｌａｙ）等の表示デバイスと表示ドライバなどを備えて構成される。このディスプレイ部５は、マイコン３の制御に基づいた各種画像を表示するようにされる。
【００１９】
操作入力部６には、ＣＤプレイヤ１０に対して各種動作を指示するための操作子が形成される。
本実施の形態の場合、この操作入力部６には、上記のようにしてＣＤプレイヤ１０に対して各種動作指示を行うための操作子以外にも、後述するようにして上記ディスプレイ部５上に表示されるカーソルを移動させるための操作子等、当該リモートコントローラ１に対する動作指示を行うための操作子も備えられる。
この操作入力部６は、操作の行われた操作子に対応する操作信号をマイコン３に供給する。そして、マイコン３は、このようにして供給された操作信号に応じた所定の制御動作を行う。
【００２０】
リモコン発光部７は、例えば赤外線ＬＥＤ（Ｌｉｇｈｔ　Ｅｍｉｔｔｉｎｇ　Ｄｉｏｄｅ）とされ、マイコン３の制御に基づいた発光動作を行うことにより、ＣＤプレイヤ１０に対する各種動作の指示信号としての赤外線コマンド信号を発光するようにされる。また、この場合、リモコン発光部７は、マイコン３の制御に基づき、上記ＮＶ−ＲＡＭ４に記録されている画像データ（インデックス画像）についての記録先アドレスの情報も、赤外線信号としてＣＤプレイヤ１０に対して送信するようにされているのであるが、これについては後述する。
なお、ここでは、リモコン発光部７の構成として、赤外線ＬＥＤを設けて赤外線コマンド信号を発光するように構成する場合を例に挙げたが、これに代え、例えば電波等による指示信号を生成することによりＣＤプレイヤ１０に対する各種動作指示を行うように構成されてもかまわない。
【００２１】
マイコン３は、当該リモートコントローラ１の全体制御を行う。
例えば、このマイコン３は、上記カメラブロック２を介して得られる撮像画像に基づいて静止画としての画像データを生成することができる。また、上記ＮＶ−ＲＡＭ４に対するデータの書き込み／読み出しや、上記ディスプレイ部５上に対する表示制御も行う。さらには、上記操作入力部６より供給される操作信号に基づき、上記リモコン発光部７を駆動・制御することにより、操作に応じた所要の動作をＣＤプレイヤ１０に対して指示するようにもされる。
また、特に本実施の形態の場合、このマイコン３は、上記操作入力部６に対する操作に応じ、後に図４、図５において説明するような処理動作を開始するようにされている。
【００２２】
３．記録再生装置の構成例
図３は、本実施の形態としてのＣＤプレイヤ１０の構成例を示している。
先ず、このＣＤプレイヤ１においては、図示するようにストッカー２４が備えられている。このストッカー２４は、上述したようにして当該ＣＤプレイヤ１０内部において複数枚のディスクを格納しておくための部位であり、ここには複数の格納棚が形成されている。
本実施の形態の場合、このストッカー２４には、例えば数十〜数百枚程度の所定枚数のディスクを収納することができるものとして想定されている。
【００２３】
また、このＣＤプレイヤ１０には、図示するように搬送部２５が設けられている。
この搬送部２５は、上記ストッカー２４に格納されたディスクのうちから選択した１枚のディスクを、当該ＣＤプレイヤ１０の再生可能位置に対して搬送すると共に、再生可能位置からストッカー２４側に格納するための搬送動作を行う。
この搬送部２５の動作は、例えば、後述するシステムコントローラ２１の制御に基づいて行われる。
【００２４】
再生可能位置に装填されたディスク５０は、スピンドルモータ１１により回転駆動される。そして、ディスク５０は、スピンドルモータ１１によって回転されながら光学ヘッド１２によってレーザ光が照射され、その反射光によって情報が読み取られる。
【００２５】
光学ヘッド１２はレーザ出力を行うレーザダイオード、偏光ビームスプリッタや対物レンズ等からなる光学系、及び反射光を検出するためのディテクタが搭載されている。対物レンズ１２ａは２軸機構１３によってディスク半径方向及びディスクに接離する方向に変位可能に保持されている。
また、光学ヘッド１２は、スレッド機構１４によりディスク半径方向に移動することができるようになっている。
【００２６】
再生動作によって、光学ヘッド１２によりディスクから検出された情報はＲＦアンプ１６に出力される。ＲＦアンプ１６は、入力された情報の演算処理により、再生ＲＦ信号、トラッキングエラー信号、フォーカスエラー信号等を抽出する。
抽出された再生ＲＦ信号はＥＦＭデコーダ１７に出力される。そして、ＥＦＭデコーダ１７では、入力された再生ＲＦ信号についてＥＦＭ復調、エラー訂正を行う。また再生信号に含まれるとされるＰ，Ｑチャンネル等のサブコードデータもここで抽出され、システムコントローラ２１に供給される。
【００２７】
また、トラッキングエラー信号、フォーカスエラー信号はサーボ回路１５に供給される。サーボ回路１５は供給されたトラッキングエラー信号、フォーカスエラー信号や、システムコントローラ２１からのトラックジャンプ指令、アクセス指令、スピンドルモータ１１の回転速度検出情報等により各種サーボ駆動信号を発生させ、２軸機構１３及びスレッド機構１４を制御してフォーカス及びトラッキング制御を行い、またスピンドルモータ１１が所要の回転速度で回転するように制御する。
【００２８】
Ｄ／Ａコンバータ１８には、上記ＥＦＭデコーダ１７によりＥＦＭ復調、エラー訂正処理の行われた再生ＲＦ信号が、デジタルオーディオデータとして入力される。Ｄ／Ａコンバータ１８は、このようにして入力されたデジタルオーディオデータをアナログオーディオデータに変換し、これを図示するオーディオ出力端子に対して出力する。
このオーディオ出力端子は、例えば外部のオーディオアンプなどに入力され、上記アナログオーディオデータは、最終的には、スピーカやヘッドフォンなどによりステレオ音声として出力される。
【００２９】
システムコントローラ２１は、当該ＣＤプレイヤ１０の全体の制御を実行するものであり、例えばＣＰＵなどにより構成され、内部には図示しないＲＯＭ及びＲＡＭを備えている。
例えば、このシステムコントローラ２１は、上記ストッカー２４におけるそれぞれの棚番号を管理することにより、ユーザーによる選択操作に応じたディスクが再生可能位置に搬送させるよう、上記搬送部２５の動作を制御するようにされる。
また、特に本実施の形態の場合、このシステムコントローラ２１は、後に図４、図５において示すような処理動作も行うようにされている。
【００３０】
上記システムコントローラ２１に対しては、ＮＶ−ＲＡＭ２２が備えられる。
このＮＶ−ＲＡＭ２２は不揮発性メモリとされ、システムコントローラ２１が各種制御を行うために必要な情報が格納される。
本実施の形態の場合、このＮＶーＲＡＭ２２には、図２において説明したようにしてリモートコントローラ１側より送信されてくるインデックス画像の記録先アドレスの情報と、上記システムコントローラ２１が管理する格納棚の棚番号とが対応づけられて記憶される。
【００３１】
表示部１９は、例えばＬＣＤや蛍光表示管などのディスプレイデバイスと、表示ドライバなどを備えて構成されるもので、システムコントローラ２１の制御によって所要の表示が行われる。
操作部２０は、例えば当該ＣＤプレイヤ１０の筐体に表出して設けられる各種操作子からなる。この操作部２０は、操作子に対して行われた操作に応じた操作信号をシステムコントローラ２１に供給するようにされる。システムコントローラ２１は、入力された操作情報信号に応じた動作が得られるように、適宜所要の制御処理を実行する。
【００３２】
リモコン受光部２３は、上記リモートコントローラ１より発光される赤外線コマンド信号を受信復調し、この赤外線コマンド信号に応じた操作信号をシステムコントローラ２１に供給する。そして、この場合もシステムコントローラ２１は、入力された操作信号に応じた動作が得られるよう適宜所要の制御処理を実行する。
【００３３】
４．インデックス画像登録及び再生ディスク選択操作手順
これまでの説明のようにして構成されるリモートコントロールシステムにおいて、ＣＤプレイヤ１０側の格納棚に格納されたディスクのうちから、所望のディスクを再生させるのにあたっては、再生させたいディスクが格納されているストッカー２４の格納棚を選択したうえで再生させることが必要になる。
そして、本実施の形態では、次のようなリモートコントローラ１に対する操作手順と、これに応じたリモートコントローラ１及びＣＤプレイヤ１０の動作が行われることで、格納棚から再生すべきディスクを選択するようにされる。
【００３４】
本実施の形態としては先ず、ユーザーが、ＣＤプレイヤ１０のストッカー２４に対してこれから新規に格納しようとしているディスクに対応するインデックス画像を登録する操作を行うようにされる。
このための操作として、先ず、ユーザーは、リモートコントローラ１を操作して、これよりＣＤプレイヤ１０に格納しようとしているディスクが収納されていたとされる、図１に示すようなＣＤ収納ケースの表紙画などを撮影する操作を行う。
この操作に応じて、リモートコントローラ１では、撮像したＣＤ収納ケースの表紙画を静止画データとして取り込み、この静止画データを「インデックス画像」として、ＮＶ−ＲＡＭ４に記憶させる。
【００３５】
また、ユーザーは、例えばリモートコントローラ１に備えられる、ストッカー２４のトレーのＯｐｅｎ／Ｃｌｏｓｅを行うためのキーを１回操作して、トレーを開き、ここにディスクを載せる。この後、さらにもう１回、同じキーを操作して、トレーを収納させる。これにより、ＣＤプレイヤ１０では、ストッカー２４の空きとなっていた格納棚の１つに、このディスクが格納される。
【００３６】
また、リモートコントローラ１では、上記のようにしてディスクをストッカー２４に格納するために、Ｏｐｅｎ／Ｃｌｏｓｅキーが２回操作された場合には、自動的に、先の操作により記憶されたインデックス画像のＮＶ−ＲＡＭ４上でのアドレス（例えば先頭アドレス）の値の情報を画像識別情報として送信する。
【００３７】
ＣＤプレイヤ１０においては、上記のようにして新たにディスクが格納されると、例えばストッカー２４からの通知により、このディスクが格納された格納棚に応じた棚番号を認識することになる。そして、このように認識した棚番号と、上記のようにしてリモートコントローラ１側から送信されてきたアドレス値の情報とが対応づけられ、この対応情報が、管理情報としてＮＶ−ＲＡＭ２２に記憶されるようになる。
【００３８】
このような動作が行われる結果、リモートコントローラ１のＮＶ−ＲＡＭ４に記憶されるインデックス画像の管理状態と、ＣＤプレイヤ１０のＮＶ−ＲＡＭ３３における管理情報内容、及び実際のストッカー２４におけるＣＤの格納状況は、次のような関係を有することになる。
【００３９】
つまり、ここで、図６（ｃ）に示すようにして、ストッカー２４において、棚番号１の棚にはディスクＣ、棚番号２の棚にはディスクＢ、棚番号３の棚にはディスクＡ、棚番号４の棚にはディスクＤが格納されていることとする。
そして、上述した操作が行われたことで、リモートコントローラ１のＮＶ−ＲＡＭ４には、図６（ａ）に示すようにして、アドレスＡｄ１にディスクＡ、アドレスＡｄ２にディスクＢ、アドレスＡｄ３にディスクＣ、アドレスＡｄ１にディスクＤの各インデックス画像が記憶された状態となっているとする。
そして、このような実際のストッカー２４における格納状況と、リモートコントローラ１のＮＶ−ＲＡＭ４における記憶状態に応じて、ＣＤプレイヤ１０のＮＶ−ＲＡＭ２２には、図６（ｂ）に示すようにして、棚番号１〜４にそれぞれ対応して、アドレスＡｄ３，Ａｄ２，Ａｄ１，Ａｄ４が記憶保持されている状態が得られる。
【００４０】
ここで、例えば図６（ａ）に示すディスクＢのインデックス画像を起点とすると、このディスクＢのインデックス画像は、リモートコントローラ１のＮＶ−ＲＡＭ４上にてアドレスＡｄ２に記憶されていることが分かる。そして、図６（ｂ）に示すＣＤプレイヤ１０のＮＶ−ＲＡＭ２２に記憶されている管理情報によれば、上記アドレスＡｄ２に対応しているのは棚番号２であることが分かる。そして、図６（ｃ）に示すようにして棚番号２には、実際には、ディスクＢが装填されている。
【００４１】
つまり、上記のようにして、例えばリモートコントローラ１のＮＶ−ＲＡＭ４に記憶されたインデックス画像を起点として、情報を辿っていくことによっては、そのインデックス画像に対応するディスクが格納された格納棚を認識することが可能となるものである。つまり、インデックス画像と格納棚に格納されるディスクとの対応がとられるようになっているものである。
【００４２】
そして、ユーザーは、ＣＤプレイヤ１０により再生したいディスクを選択するのにあたり、所定操作によって、図６（ａ）に示すようにしてＮＶ−ＲＡＭ４に記憶されているインデックス画像をディスプレイ部５に表示させることができる。
このインデックス画像の表示画面としては、例えば図７に示すような画面とされる。
この図７に示すように、表示画面には、ＮＶ−ＲＡＭ４において記録・保持されている全てのインデックス画像が表示される。そして、これら全てのインデックス画像から１つのインデックス画像を選択するための、図のようなカーソルも表示されるようになる。
このインデックス表示画面において、ユーザーは操作入力部６に設けられる例えば十字キーを操作することにより、上記カーソルを縦・横方向に移動させることができる。そして、このカーソルを所望するインデックス画像の位置に移動させ、これを決定するための操作を行うことができる。
【００４３】
そして、リモートコントローラ１では、ユーザーにより選択決定されたインデックス画像に対応するアドレス値の情報を、ディスクを選択するための指示信号としてＣＤプレイヤ１０に対して送信するようにされる。
ＣＤプレイヤ１０においては、このアドレス情報と上記管理情報を参照することにより、再生すべきディスクが格納されている格納棚を認識することができるようになる。
そして、この結果、ＣＤプレイヤ１０においては、ユーザーにより選択されたインデックス画像に対応するディスクが、上記格納棚から再生可能位置に搬送されるようになる。
【００４４】
５．インデックス画像の登録処理
上述もしたように、本実施の形態のリモートコントロールシステムにおいては、ＣＤプレイヤ１０内に複数格納されるそれぞれのディスクを区別することができるように、リモートコントローラ１側において生成された画像データを、上記それぞれのディスクに対応づけるべきインデックス画像として登録しようとするものである。
以下では、このようにリモートコントローラ１により生成された画像データを、ＣＤプレイヤ１０に対して装填されたディスクに対応するインデックス画像として登録するための処理動作について説明する。
【００４５】
図４は、本実施の形態のリモートコントロールシステムにおける、インデックス画像登録時の処理動作について示したフローチャートである。
先ずリモートコントローラ１のマイコン３は、図示するステップＳ１０１において、上記インデックス画像の登録を開始するための、画像登録開始操作の有無を監視する。
そして、操作入力部６に対する所定操作が行われ、画像登録開始操作が行われたと判別した場合は、ステップＳ１０２において、カメラブロック２を介した撮像動作を開始する。すなわち、このステップＳ１０２においては、上記カメラブロック２を介して得られている外部画像を、撮像画像としてディスプレイ部５上に表示させるようにする。
【００４６】
続くステップＳ１０３においては、上記ディスプレイ部５上に表示されている撮像画像を、静止画データとして取り込むための操作があったか否かを監視する。
このステップＳ１０３において、操作入力部６を介した画像取り込み操作があった場合はステップＳ１０４に進む。
【００４７】
ステップＳ１０４においては、上記のようにして取り込まれた画像データを、ＣＤプレイヤ１０に対して格納されるディスクに対応づけるべきインデックス画像としてＮＶ−ＲＡＭ４に対して記録する。
そして、ステップＳ１０５においては、上記のようにして記録したインデックス画像の、上記ＮＶ−ＲＡＭ４における記録先アドレスの情報を参照し、この記録先アドレスの（例えば先頭アドレス）の値を認識しておくようにする。
【００４８】
続くステップＳ１０６では、ＣＤプレイヤ１０に対してストッカー２４のトレーのＯｐｅｎ／Ｃｌｏｓｅを指示するために操作入力部６に配される、Ｏｐｅｎ／Ｃｌｏｓｅキーが２度操作されたか否かを監視する
すわわち、このステップＳ１０６においては、先に説明したようにしてＯｐｅｎ／Ｃｌｏｓｅキーが２度操作され、この指示に応じたトレーの出入動作が行われることにより、ＣＤプレイヤ１０側でディスクを格納する動作が行われたか否かを判別しようとするものである。
このステップＳ１０６において、上記Ｏｐｅｎ／Ｃｌｏｓｅキーが２度操作されることにより、ＣＤプレイヤ１０に対して新たにディスクが格納されたと判別した場合は、ステップＳ１０７に進む。
【００４９】
ステップＳ１０７においては、上記ステップＳ１０５において認識したアドレス値の情報をＣＤプレイヤ１０側に送信する。そして、このステップＳ１０７における送信処理を実行すると、マイコン３は処理動作を終了する。
【００５０】
ＣＤプレイヤ１０側において、システムコントローラ２１は、上記リモートコントローラ１より送信されるアドレス値の情報についての受信の有無を、図示するステップＳ２０１にて監視している。
そして、上記アドレス値の情報を受信すると、ステップＳ２０２において、このアドレス値の情報を図３で説明したＮＶ−ＲＡＭ２２対して記録する。
【００５１】
続くステップＳ２０３においては、上記ステップＳ１０６において判別されたＯｐｅｎ・Ｃｌｏｓｅ指示に応じて行われたトレーの出入動作により、ストッカー２４内の格納棚に対して新たにディスクが格納されたか否かを監視するようにされる。
このステップＳ２０３において、上記トレー上に正常にディスクが配置され、新たにディスクが格納された場合には、ステップＳ２０４に進み該ディスクが格納された格納棚の棚番号を認識しておくようにされる。
【００５２】
ステップＳ２０５においては、上記のようにして認識した棚番号と、上記ステップＳ２０２においてＮＶ−ＲＡＭ２２に記録したインデックス画像のアドレス値の情報とを対応づける処理を行う。
つまり、このステップＳ２０５においては、先ず上記のようにして認識した棚番号をＮＶ−ＲＡＭ２２に対して記録する。そして、このようにしてＮＶ−ＲＡＭ２２に記録された棚番号と上記アドレス値とを対応づけて管理するよう、上記図６（ｂ）において示したようなＮＶ−ＲＡＭ２２の管理情報を更新する処理を行うようにされるものである。
これにより、ＣＤプレイヤ１０側では、リモートコントローラ１側で保持されているインデックス画像のアドレス値と、上記装填されたディスクとの対応がとられるようになる。
すなわち、リモートコントローラ１側において取り込まれた画像データが、ストッカー２４において格納されたディスクに対応するインデックス画像として登録されるようになるものである。
このステップＳ２０５における処理を実行すると、システムコントローラ２１は処理動作を終了する。
【００５３】
６．再生ディスク選択処理
上記図４に示したインデックス画像登録処理が繰り返されることにより、ＣＤプレイヤ１０側には、リモートコントローラ１側に保持するそれぞれのインデックス画像と対応づけられた複数のディスクが格納されるようになる。
そして、これによりユーザーは、リモートコントローラ１において表示されるインデックス画像を元とした選択操作を行うことで、ＣＤプレイヤ１０側に対して再生すべきディスクを指示することができるようになる。
【００５４】
このようにしてインデックス画像を元として再生すべきディスクを選択する際に、本実施の形態のリモートコントロールシステムが行うべき処理動作について、図５のフローチャートを用いて説明する。
図５において、先ず、リモートコントローラ１のマイコン３は、図示するステップＳ３０１において、上記のようなインデックス画像を元にした選択操作を開始するためのインデックス選択開始操作の有無を監視する。
そして、操作入力部６に対する所定操作が行われ、上記インデックス選択開始操作が行われたと判別した場合は、ステップＳ３０２に進む。
【００５５】
ステップＳ３０２においては、ユーザーに対してインデックス画像を元とした選択を行わせるための、上記図７において示したようなインデックス表示画面をディスプレイ部５上に表示する。
すなわち、このステップＳ３０２においては、ＮＶ−ＲＡＭ４に記憶されている全てのインデックス画像を読み出してディスプレイ部５上に表示させるための画像生成及び画像出力制御処理を実行する。そして、これにより、登録されている全てのインデックス画像がユーザーに対して提示されるようにするものである。
【００５６】
続くステップＳ３０３においては、上記図７において説明したようなユーザーによるインデックス画像の選択操作に応じた各種処理動作を行うようにされる。そして、ステップＳ３０４においては、選択されたインデックス画像を決定するための操作が行われたか否かを監視するようにされる。
【００５７】
続くステップＳ３０５においては、上記ステップＳ３０４にてユーザーにより決定されたインデックス画像が、ＮＶ−ＲＡＭ４に記憶されているアドレス値を認識する。
そして、このようにして認識したアドレス値の情報を、ステップＳ３０６においてＣＤプレイヤ１０側に送信する。
このステップＳ３０６における送信処理を実行するとマイコン３は処理動作を終了する。
【００５８】
ＣＤプレイヤ１０側において、システムコントローラ２１は、図示するステップＳ４０１にて上記アドレス値の情報についての受信の有無を監視している。
そして、リモートコントローラ１側よりアドレス値の情報を受信すると、ステップＳ４０２において、このアドレス値を認識しておくようにされる。
【００５９】
続くステップＳ４０３においては、上記認識したアドレス値に対応するディスクを認識するために、ＮＶ−ＲＡＭ２２に対して記録されている棚番号のうち、このアドレス値が対応づけられて管理されている棚番号を認識する。
そして、ステップＳ４０４においては、上記のようにして認識した棚番号に基づき、対応する格納棚に格納されているディスクが再生可能位置に搬送されるよう、搬送部２５の動作を制御する。
これにより、このＣＤプレイヤ１０においては、上記ステップＳ３０３においてユーザーにより選択されたインデックス画像に対応するディスクが、再生可能位置に対して搬送されるようになる。
このようにして再生可能位置に対してディスクを搬送させると、図示するように処理動作を終了する。
【００６０】
以上、本実施の形態のリモートコントロールシステムについて説明した。
上述もしたように、本実施の形態のリモートコントロールシステムでは、先ず、リモートコントローラ１において、ＣＤプレイヤ１０に対して装填されるディスクに対応づけるべき情報として、カメラブロック２を介して得られる撮像画像を取り込むようにされる。そして、このようにして取り込まれた画像は、インデックス画像としてＮＶ−ＲＡＭ４に対して記録され、このインデックス画像のアドレス値の情報がＣＤプレイヤ１０に対して送信される。
【００６１】
ＣＤプレイヤ１０においては、新たにディスクが格納されるのに応じ、該ディスクを格納した格納棚の棚番号が認識される。そして、このように認識した棚番号と、上記送信されたインデックス画像のアドレス値の情報とが対応づけられるようになる。
【００６２】
また、再生すべきディスクの選択時においては、上記リモートコントローラ１では、ディスプレイ部５上にインデックス画像が表示されるようになる。そして、このように表示されたインデックス画像のうち、ユーザーにより選択されたインデックス画像に対応するアドレス値の情報を、ディスクを選択するための指示信号としてＣＤプレイヤ１０に対して送信するようにされる。
【００６３】
ＣＤプレイヤ１０においては、このアドレス値に対応づけられている棚番号を認識することにより、再生すべきディスクが格納されている格納棚を認識することができるようになり、この結果、ユーザーにより選択されたインデックス画像に対応するディスクが格納棚から再生可能位置に対して搬送されるようになる。
【００６４】
このようにして、ＣＤプレイヤ１０に格納されるディスクに対応づけるべき情報として、カメラブロック２を介して得られる撮像画像を対応づけることができるようにしたことで、従来のように、ＣＤプレイヤ１０に対してディスクを格納する度に文字入力を行う負担を軽減することができるようになる。
【００６５】
また、上記のようにして文字等による情報ではなく画像を対応づけることができるようにしたことで、再生ディスクの選択を行う際のユーザーインターフェイスを、直感的に認識し易いものとすることができる。
【００６６】
さらに、本実施の形態のリモートコントロールシステムにおいて、再生ディスクの選択を行う際は、ユーザーは、上記のようにしてリモートコントローラ１側で表示された情報を元に選択操作を行うことが可能とされる。
つまり、この場合、ユーザーは再生すべきディスクの選択を本体側のディスプレイを見ずとも手元において行うことができるようになり、この結果、本実施の形態のリモートコントロールシステムによっては、このような再生ディスクの選択時におけるリモートコントローラの遠隔操作機能をより充実させることができる。
【００６７】
また、上記のようにして、インデックス画像と格納されたディスクとの対応をとるためにリモートコントローラ１が送信する情報として、インデックス画像のアドレス値を送信するようにしたことによっては、リモートコントローラ１側において、上記のような対応をとるための情報をあえて記憶する必要がなくなる。
【００６８】
なお、本実施の形態では、チェンジャー機能を有する記録再生装置として、ＣＤプレイヤ１０を例に挙げたが、本発明の記録再生装置としては、例えばＣＤ−ＲＯＭ、ＣＤ−Ｒ（Ｒｅｃｏｒｄａｂｌｅ）などのＣＤフォーマットのディスク状記録媒体に記録されたＭＰ３ファイルを記録又は再生可能な構成とされてもよい。また、ＣＤ−ＤＡ（Ｄｉｇｉｔａｌ　Ａｕｄｉｏ）に記録されるべき、１６ビットサンプリング、サンプリング周波数４４．１ＫＨｚのデジタルオーディオデータを記録又は再生可能な構成とされてもよい。
或いは、例えばＭＤ（Ｍｉｎｉ　Ｄｉｓｋ）等の他のリムーバブルメディアに対応する構成とされてもよい。
【００６９】
また、本実施の形態では、ＣＤプレイヤ１０に格納されるディスクに対応づけるインデックス画像として、カメラブロック２により撮像された画像を採用する場合を例に挙げた。
しかしながら、このインデックス画像としては、例えば予め用意された絵柄や文字が示された画像データのうちから、ユーザーにより選択された画像データを採用する等、ユーザー操作により選択入力された絵柄及び／又は文字の情報に基づいた画像データであれば、これに限定されるものではない。
【００７０】
また、或いは上記インデックス画像としては、例えば次の図８に示すような画像データが採用されてもよい。
すなわち、図７に示すようにして、操作に応じた文字入力が可能とされる雛形画像を用意するようにし、この画像に対してディスクのタイトル名やトラック名を入力させることにより、これをインデックス画像として登録するようにするものである。
この場合、リモートコントローラ１側は、図４に示したステップＳ１０２における処理として、上記雛形画像をディスプレイ部５上に表示するようにする。そして、ステップＳ１０３において、上記雛形画像に対するユーザーによる文字入力操作を行わせるようにする。
これにより、ユーザーにより文字入力の行われた画像が、インデックス画像として登録されるようになるものである。
なお、このようなインデックス画像を採用する方式は、例えばＣＤ−ＲＯＭ、ＣＤ−Ｒ等、一般的に収納ケース等に個別の表紙画が描かれていない記録媒体を記録再生装置に対して格納しようとする場合に好適である。
【００７１】
【発明の効果】
以上で説明したように、本発明では、上記記録再生装置に格納される記録媒体に対応づけるべき情報としての画像データをリモートコントローラ側において生成するようにしている。
そして、記録再生装置側においては、リモートコントローラ側で生成された上記画像データに対応する画像識別情報を受信すると共に、この画像識別情報と、記録媒体が格納された格納位置を示す格納位置情報とを対応づけて記憶するようにしている。
これにより、記録再生装置側においては、上記画像データと格納された記録媒体との対応を取るための管理情報を生成することができる。
【００７２】
また、本発明では、上記リモートコントローラ側に表示手段を設けることにより、上記のようにして生成された画像データを上記記録媒体を選択するためのアイコンとしてユーザーに提示するようにしている。そして、上記のようにして表示した画像データのうち、ユーザーにより選択された画像データに対応する画像識別情報を記録再生装置側に送信するようにしている。
これにより、該記録再生装置においては、この画像識別情報を元にして上記管理情報を参照することにより、記録／再生すべき記録媒体が格納されている格納位置を認識することができるようになる。
この結果、本発明においては、ユーザーにより選択された画像データに基づいて、記録／再生すべき記録媒体を記録再生可能な状態とすることができるようになる。
【００７３】
このようにして、記録再生装置に対して格納される記録媒体に対応づけるべき情報として、ユーザー操作に応じて生成される画像を対応づけることができるようになることで、本発明によっては、記録再生装置に対して記録媒体を格納する度に文字入力を行うユーザー負担を軽減することができるようになる。
【００７４】
また、このようにして、記録再生装置に対して装填される記録媒体に画像を対応づけることができるようになることで、再生すべき記録媒体の選択を行う際のユーザーインターフェイスを、直感的に認識し易いものとすることができる。
【００７５】
さらに、上記もしているように本発明によっては、ユーザーは、記録／再生すべき記録媒体の選択を行う際にリモートコントローラ側に設けられる表示手段により表示される情報を元にその選択操作を行うことが可能とされる。
つまり、この場合、ユーザーは再生すべき記録媒体の選択を本体側のディスプレイを見ずとも手元において行うことができるようになり、この結果、本発明によっては、このような記録媒体の選択時におけるリモートコントローラの遠隔操作機能をより充実させることができる。
【図面の簡単な説明】
【図１】本発明における実施の形態としてのリモートコントロールシステムの概要を示す図である。
【図２】実施の形態のリモートコントローラの構成例を示すブロック図である。
【図３】実施の形態の記録再生装置の構成例を示すブロック図である。
【図４】実施の形態のリモートコントロールシステムにおいて得られる処理動作について示すフローチャートである。
【図５】実施の形態のリモートコントロールシステムにおいて得られる処理動作について示すフローチャートである。
【図６】実施の形態のリモートコントロールシステムにおいて、ユーザー操作に伴って得られる動作について説明するための図である。
【図７】実施の形態のリモートコントローラに備えられる表示手段に表示される画面の例について示した図である。
【図８】記録再生装置に格納される記録媒体に対して対応づけられる画像について示した図である。
【符号の説明】
１　リモートコントローラ、２　カメラブロック、３　マイコン、４　ＮＶ−ＲＡＭ、５　ディスプレイ部、６　操作入力部、７　リモコン発光部、１０　ＣＤプレイヤ、１１　スピンドルモータ、１２　光学ヘッド、１３　二軸機構、１４　スレッド機構、１５　サーボ回路、１６　ＲＦアンプ、１７　ＥＦＭデコーダ、１８　Ｄ／Ａコンバータ、１９　表示部、２０　操作部、２１　システムコントローラ、２２　ＮＶ−ＲＡＭ、２３　リモコン発光部、２４　ストッカー、２５　搬送部、５０　ディスク
【図１】
2004079110.tif 000003
【図２】
2004079110.tif 000004
【図３】
2004079110.tif 000005
【図４】
2004079110.tif 000006
【図５】
2004079110.tif 000007
【図６】
2004079110.tif 000008
【図７】
2004079110.tif 000009
【図８】
2004079110.tif 000010